(57)【要約】【課題】記憶媒体の使用に係る制限を効率的に行うこと。【解決手段】台間カード処理機１０は、遊技客からの求めを受けた遊技店員によりカード利用停止操作を受け付けると（Ｓ１）、カード管理装置４０に対してカード利用停止要求を送信する（Ｓ２）。このカード利用停止要求は、台間カード処理機１０の装置ＩＤを含む。カード管理装置４０は、台間カード処理機１０によるカードの使用履歴を管理しており、カード利用停止要求を受信すると、カード利用停止要求に示された装置ＩＤに基づいて利用停止の対象となるカードＩＤを特定し（Ｓ３）、特定したカードＩＤのカードを使用している装置を使用中装置として特定し（Ｓ４）、使用中装置に対してカード利用停止指示を送信する。カード利用停止指示を受信した台間カード処理機１０は、玉貸、再プレイ、返却などを禁止することで記憶媒体であるカードの利用を停止する（Ｓ５）。【選択図】図１
2018202091.tif 000002
【特許請求の範囲】
【請求項１】
遊技店において遊技媒体を用いた遊技を行う遊技機に併設されて前記遊技媒体に係る処理を行う各台装置と、前記遊技媒体の払出に使用可能な価値を記憶媒体の識別情報に関連付けて記憶する管理装置とを有する遊技管理システムであって、
前記各台装置は、
自装置から排出された記憶媒体について利用を制限するための操作である利用制限操作を受け付ける利用制限操作受付手段と、
前記利用制限操作に基づいて、所定の情報を前記管理装置に送信する情報送信手段と、
を備え、
前記管理装置は、
前記情報送信手段により送信された情報に基づいて、利用制限操作の対象となる記憶媒体を特定する記憶媒体特定手段
を備え、
前記記憶媒体特定手段により特定された記憶媒体の使用を制限する制限手段をさらに備えた
ことを特徴とする遊技管理システム。
【請求項２】
前記情報送信手段は、前記各台装置を特定する情報を前記管理装置に送信し、
前記記憶媒体特定手段は、前記情報から特定された各台装置において所定の時点で排出された記憶媒体を利用制限操作の対象と特定することを特徴とする請求項１に記載の遊技管理システム。
【請求項３】
前記制限手段は、遊技店内の装置において前記記憶媒体が受け付けられた場合及び／又は受け付けられている状態で前記記憶媒体の使用を制限するものであり、
使用を制限する時点で前記記憶媒体を使用する遊技客に変更があることを示す所定の条件が成立している場合に、前記制限手段による制限を行うことを抑制する抑制手段をさらに備えたことを特徴とする請求項１に記載の遊技管理システム。
【請求項４】
前記記憶媒体特定手段は、前記各台装置が最後に使用していた記憶媒体を特定することを特徴とする請求項１〜３のいずれか一つに記載の遊技管理システム。
【請求項５】
前記記憶媒体特定手段は、前記各台装置が前記所定の時点で使用していた記憶媒体の候補を抽出して提示し、当該候補から使用制限の対象とする記憶媒体の選択を受け付けることを特徴とする請求項１〜３のいずれか一つに記載の遊技管理システム。
【請求項６】
前記記憶媒体特定手段により特定された記憶媒体の使用が検知されたときに、当該記憶媒体の使用制限を求めた遊技客が使用中の装置に対して通知を行うことを特徴とする請求項１〜５のいずれか一つに記載の遊技管理システム。
【請求項７】
遊技店において遊技媒体を用いた遊技を行う遊技機に併設されて前記遊技媒体に係る処理を行う各台装置と、前記遊技媒体の払出に使用可能な価値を記憶媒体の識別情報に関連付けて記憶する管理装置とを有する遊技管理システムにおける遊技管理方法であって、
前記各台装置が、自装置から排出された記憶媒体について利用を制限するための操作である利用制限操作を受け付ける利用制限操作受付ステップと、
前記各台装置が、前記利用制限操作に基づいて、所定の情報を前記管理装置に送信する情報送信ステップと、
前記管理装置が、前記情報送信ステップにより送信された情報に基づいて、利用制限操作の対象となる記憶媒体を特定する記憶媒体特定ステップと、
前記記憶媒体特定ステップにより特定された記憶媒体の使用を制限する制限ステップと
を含んだことを特徴とする遊技管理方法。
【発明の詳細な説明】
【技術分野】
【０００１】
この発明は、遊技店における遊技を管理する遊技管理システム及び遊技管理方法に関する。
【背景技術】
【０００２】
従来、遊技店では、遊技媒体を介在させた遊技を提供している。例えば、パチンコ遊技では、遊技玉を遊技媒体として用い、遊技玉を遊技盤面に打ち込んで遊技を行う。遊技盤面には、複数の入賞領域（入賞口）が設けられており、当該入賞領域を遊技玉が通過したことに基づいて所定個数の遊技玉を賞玉として付与するようになっている。このように、遊技の結果によって遊技媒体の数が増減し、遊技客は獲得した遊技媒体を賞品と交換することができる。
【０００３】
遊技機には、各台装置が併設されることが一般的である。各台装置は、入金を受け付けて遊技媒体の貸出処理を行う。加えて、各台装置は、遊技により獲得された遊技媒体の数を持遊技媒体数として管理し、持遊技媒体数を減算して遊技媒体を払い出す再プレイ処理を行う（例えば特許文献１参照。）。
【０００４】
また、遊技客が遊技を終了する際に、遊技機に設けられた返却ボタンを操作すると、各台装置は、自装置で管理している持遊技媒体数をカードに関連付けたうえで排出する。遊技客は、このカードを賞品カウンタで提示することにより、関連付けられた持遊技媒体数に応じた賞品と交換することができる。また、カードには遊技媒体の貸出に使用可能な有価価値も関連付けられる。遊技終了時に残った有価価値の残高は、精算機にて精算することができる。
【０００５】
ここで、遊技客が遊技の終了時にカードの排出を忘れていたことに気付いた場合に、他の遊技客によるカードの利用を防ぐ技術が知られている。例えば、特許文献２は、各台装置が使用していたカードの識別情報を記憶し、所定の操作を受け付けた場合に、当該識別情報を管理装置に送信して利用停止を行い、利用停止対象のカードの識別情報を各台装置で記憶することによりカードの利用停止を行う技術を開示している。
【先行技術文献】
【特許文献】
【０００６】
【特許文献１】特開２０１１−１３１０３７号公報
【特許文献２】特許第５１５８６３７号
【発明の概要】
【発明が解決しようとする課題】
【０００７】
しかしながら、従来の技術では、遊技店に数多く設置される各台装置が自装置で使用していたカードの識別情報と、利用停止対象となったカードの識別情報の双方を記憶する必要があるため、システム全体としては大きなコスト増となり、構成が複雑化するという問題点があった。
【０００８】
これらのことから、記憶媒体の使用に係る制限をいかにして効率的に実現するかが重要な課題となっていた。
【０００９】
本発明は、上述した課題を解決するためになされたものであって、記憶媒体の使用に係る制限を効率的に行うことのできる遊技管理システム及び遊技管理方法を提供することを目的とする。
【課題を解決するための手段】
【００１０】
上述した課題を解決し、目的を達成するため、本発明は、遊技店において遊技媒体を用いた遊技を行う遊技機に併設されて前記遊技媒体に係る処理を行う各台装置と、前記遊技媒体の払出に使用可能な価値を記憶媒体の識別情報に関連付けて記憶する管理装置とを有する遊技管理システムであって、前記各台装置は、自装置から排出された記憶媒体について利用を制限するための操作である利用制限操作を受け付ける利用制限操作受付手段と、前記利用制限操作に基づいて、所定の情報を前記管理装置に送信する情報送信手段と、を備え、前記管理装置は、前記情報送信手段により送信された情報に基づいて、利用制限操作の対象となる記憶媒体を特定する記憶媒体特定手段を備え、前記記憶媒体特定手段により特定された記憶媒体の使用を制限する制限手段をさらに備えたことを特徴とする。
【００１１】
また、本発明は、上記発明において、前記情報送信手段は、前記各台装置を特定する情報を前記管理装置に送信し、前記記憶媒体特定手段は、前記情報から特定された各台装置において所定の時点で排出された記憶媒体を利用制限操作の対象と特定することを特徴とする。
【００１２】
また、本発明は、上記発明において、前記制限手段は、遊技店内の装置において前記記憶媒体が受け付けられた場合及び／又は受け付けられている状態で前記記憶媒体の使用を制限するものであり、使用を制限する時点で前記記憶媒体を使用する遊技客に変更があることを示す所定の条件が成立している場合に、前記制限手段による制限を行うことを抑制する抑制手段をさらに備えたことを特徴とする。
【００１３】
また、本発明は、上記発明において、前記記憶媒体特定手段は、前記各台装置が最後に使用していた記憶媒体を特定することを特徴とする。
【００１４】
また、本発明は、上記発明において、前記記憶媒体特定手段は、前記各台装置が前記所定の時点で使用していた記憶媒体の候補を抽出して提示し、当該候補から使用制限の対象とする記憶媒体の選択を受け付けることを特徴とする。
【００１５】
また、本発明は、上記発明において、前記記憶媒体特定手段により特定された記憶媒体の使用が検知されたときに、当該記憶媒体の使用制限を求めた遊技客が使用中の装置に対して通知を行うことを特徴とする。
【００１６】
また、本発明は、遊技店において遊技媒体を用いた遊技を行う遊技機に併設されて前記遊技媒体に係る処理を行う各台装置と、前記遊技媒体の払出に使用可能な価値を記憶媒体の識別情報に関連付けて記憶する管理装置とを有する遊技管理システムにおける遊技管理方法であって、前記各台装置が、自装置から排出された記憶媒体について利用を制限するための操作である利用制限操作を受け付ける利用制限操作受付ステップと、前記各台装置が、前記利用制限操作に基づいて、所定の情報を前記管理装置に送信する情報送信ステップと、前記管理装置が、前記情報送信ステップにより送信された情報に基づいて、利用制限操作の対象となる記憶媒体を特定する記憶媒体特定ステップと、前記記憶媒体特定ステップにより特定された記憶媒体の使用を制限する制限ステップとを含んだことを特徴とする。
【発明の効果】
【００１７】
本発明によれば、記憶媒体の使用に係る制限を効率的に行うことができる。
【図面の簡単な説明】
【００１８】
【図１】図１は、本実施例１に係る遊技管理システムの概念の説明図である。
【図２】図２は、遊技店のシステム構成を示す図である。
【図３】図３は、台間カード処理機の外観を示す図である。
【図４】図４は、台間カード処理機の構成を示す機能ブロック図である。
【図５】図５は、台間カード処理機の記憶部に記憶されるデータの一例を説明するための説明図である。
【図６】図６は、図２に示したカード管理装置の構成を示す機能ブロック図である。
【図７】図７は、カード管理装置の記憶部に記憶されるデータの一例を説明するための説明図である。（その１）
【図８】図８は、カード管理装置の記憶部に記憶されるデータの一例を説明するための説明図である。（その２）
【図９】図９は、カードの利用停止に係る台間カード処理機の処理手順を示すフローチャートである。
【図１０】図１０は、カードの利用停止に係るカード管理装置の処理手順を示すフローチャートである。
【図１１】図１１は、カードの利用停止に係る表示についての説明図である。
【図１２】図１２は、図２に示した賞品管理装置の外観構成を示す図である。
【図１３】図１３は、賞品管理装置が利用停止対象のカードを読み取った場合の画面例である。
【図１４】図１４は、本実施例２に係る遊技管理システムの概念の説明図である。
【図１５】図１５は、候補リストの表示と利用停止対象の選択についての説明図である。
【図１６】図１６は、本実施例２に係る台間カード処理機の構成についての説明図である。
【図１７】図１７は、本実施例２に係るカード管理装置の構成についての説明図である。
【図１８】図１８は、実施例２における台間カード処理機のカードの利用停止に係る処理手順を示すフローチャートである。
【図１９】図１９は、実施例２にけるカード管理装置のカードの利用停止に係る処理手順を示すフローチャートである。
【発明を実施するための形態】
【００１９】
以下に、添付図面を参照して、本発明に係る遊技管理システム及び遊技管理方法の好適な実施例を詳細に説明する。
【００２０】
本明細書中にあって持玉とは、遊技客が遊技において獲得した遊技媒体又は当該遊技媒体数を示すデータであって、その当日中（閉店より前の時間）のみ遊技に再度供することができるものを言う。貯玉とは、遊技客が遊技において獲得した遊技媒体又は当該遊技媒体数を示すデータであって、翌日以降（閉店より後の時間）も遊技に再度供することができるものを言う。持玉は、一般遊技客および会員遊技客の双方が使用可能であり、遊技に用いる遊技機の変更（いわゆる台移動）を行った場合などに使用する。貯玉は通常、会員遊技客のみが使用可能であり、獲得した遊技媒体を翌日以降の遊技に用いる場合に使用する。貯玉の使用には所定の手数料を課すこととしてもよい。
【実施例１】
【００２１】
まず、本実施例１に係る遊技管理システムの概念について説明する。図１は、本実施例１に係る遊技管理システムの概念の説明図である。遊技店には複数の遊技機が設置されており、各遊技機には各台装置である台間カード処理機１０が併設される。さらに、台間カード処理機１０は、遊技店内に設けられたカード管理装置４０と通信可能に接続される。
【００２２】
台間カード処理機１０は、遊技客の操作に基づいて、遊技玉の貸出処理、持玉や貯玉の再プレイ処理、獲得した遊技玉を計数して持玉に加算する計数処理などの遊技玉に係る各種処理を行う。また、遊技客が遊技を終了する際に、遊技機に設けられた返却ボタンを操作すると、台間カード処理機１０は、自装置が管理する持玉数をカードに関連付けたうえで排出する。
【００２３】
さらに、台間カード処理機１０は、遊技客が遊技の終了時にカードの排出を忘れていたことに気付いた場合に、他の遊技客によるカードの利用を防ぐため、カード利用停止に係る機能を有する。
【００２４】
具体的には、台間カード処理機１０は、遊技客からの求めを受けた遊技店員によりカード利用停止操作を受け付けると（Ｓ１）、カード管理装置４０に対してカード利用停止要求を送信する（Ｓ２）。このカード利用停止要求は、台間カード処理機１０の装置ＩＤを含む。
【００２５】
カード管理装置４０は、台間カード処理機１０によるカードの使用履歴を管理している。具体的には、台間カード処理機１０の装置ＩＤに対し、カードの使用開始時刻、使用終了時刻及びカードＩＤを関連付けている。一例として、図１では、装置ＩＤ「３０２４」の台間カード処理機１０が使用開始時刻「１１：２０」から使用終了時刻「１４：５４」までカードＩＤ「１０３３」のカードを使用していた状態を示している。また、装置ＩＤ「３００７」の台間カード処理機１０が使用開始時刻「１５：０１」からカードＩＤ「１０３３」のカードを使用中である状態を示しており、カードの使用が終了していないため使用終了時刻は空白となっている。
【００２６】
カード管理装置４０は、台間カード処理機１０からカード利用停止要求を受信すると、カード利用停止要求に示された装置ＩＤに基づいて利用停止の対象となるカードＩＤを特定する（Ｓ３）。
【００２７】
例えば、装置ＩＤ「３０２４」の台間カード処理機１０からカード利用停止要求を受信し、この台間カード処理機１０が最後に使用したカードのカードＩＤが「１０３３」であれば、カードＩＤ「１０３３」を利用停止の対象として特定する。このように、装置ＩＤのみを指定したカード利用停止要求であれば、最後に使用したカードＩＤが利用停止の対象となる。なお、日時を追加して指定すれば、その日時に指定された装置が使用していたカードＩＤを利用停止の対象とすることができる。
【００２８】
カード管理装置４０は、利用停止の対象となるカードＩＤを特定した後、特定したカードＩＤのカードを使用している装置を使用中装置として特定する（Ｓ４）。図１の例では、装置ＩＤ「３００７」である台間カード処理機１０が使用中装置となる。
【００２９】
カード管理装置４０は、使用中装置を特定したならば、使用中装置に対してカード利用停止指示を送信する。カード利用停止指示を受信した台間カード処理機１０は、玉貸、再プレイ、返却などを禁止することでカードの利用を停止する（Ｓ５）。
【００３０】
このように、遊技客が所定の時点で利用していた台間カード処理機１０の装置ＩＤをカード管理装置４０が取得し、装置ＩＤにより特定される台間カード処理機１０が所定の時点で使用していたカードを特定し、特定されたカードの使用を制限することで、台間カード処理機１０にカードの使用履歴を記憶させることなく、簡易な構成で記憶媒体であるカードの使用に係る制限を効率的に行うことができる。
【００３１】
次に、遊技店のシステム構成について説明する。図２は、遊技店のシステム構成を示す図である。図２に示すように、遊技店には、複数の遊技機２０と、各遊技機２０にそれぞれ対応して設けられた台間カード処理機１０が設置される。台間カード処理機１０は、島コントローラ３０を介して店内のネットワークである通信回線と接続する。通信回線には、島コントローラ３０と、カード管理装置４０と、会員管理装置５０と、賞品管理装置６０と、精算機８０とが接続される。
【００３２】
遊技機２０は、遊技玉を遊技盤面に打ち込んで遊技を行う装置である。この遊技機２０の遊技盤面には、複数の入賞領域（入賞口）が設けられており、当該入賞領域を遊技玉が通過したことに基づいて所定個数の遊技玉を賞玉として付与するようになっている。また、遊技盤面には、所定個数の始動領域（始動口）が設けられており、当該始動領域を遊技玉が通過したことに基づいて所定の抽選を行うこととなっている。当該抽選が大当りとなれば、所定の可動部材等の作動により、前述の入賞領域あるいは他の始動領域への遊技玉の通過確率を向上する等、遊技上有利となる作動が行われる。始動口への玉の通過による抽選の結果は、抽選の結果を表示する特別図柄表示装置にて表示される。この特別図柄表示装置の抽選結果の表示は、所定時間の変動表示後、確定表示を行う態様で行なわれる。また、遊技盤面には、抽選の結果に基づいて所定の数字等の装飾図柄を可変表示する装飾図柄表示装置が設けられており、抽選の結果が大当りとなった場合に、例えば（７，７，７）などの揃い図柄を表示して報知を行なう。なお、始動領域と入賞領域を兼ねた領域を設けることもできる。
【００３３】
上記入賞領域には、当該入賞領域への遊技玉の通過を検出するための入賞センサが設けられており、この入賞センサにより入賞領域へ打ち込まれた遊技玉の通過（入賞）を検知するようになっている。また、遊技機２０の制御部は、入賞領域ごとに賞玉として付与する遊技玉の個数を記憶する賞玉メモリを有している。
【００３４】
したがって、打ち込んだ遊技玉の特定の入賞領域への通過が入賞センサにより検知されると、遊技機２０は、賞玉メモリの記憶内容と、入賞領域を通過した遊技玉数とから、付与すべき賞玉数を決定し、決定した賞玉数の払出処理を行うことができる。また、打ち込んだ遊技玉は、入賞領域を通過したか否かにかかわらず、最終的に遊技盤面裏側から遊技機外部に排出される。遊技機外部に排出された遊技玉は、遊技機ごとに付設されたアウト玉検出装置によって検出されるようになっている。
【００３５】
台間カード処理機１０は、入金の受付、遊技玉の貸し出し、カード管理装置４０との通信を行う。台間カード処理機１０は、遊技客により投入された紙幣を受け付けたならば、この紙幣の金額を含む入金通知データをカード管理装置４０に送信し、カード管理装置４０が管理するプリペイド価値に金額に応じた数を加算させる。そして、所定の玉貸操作がなされたならば、玉貸要求をカード管理装置４０に送信し、カード管理装置４０が管理するプリペイド価値を減算させて、減算されたプリペイド価値に対応する数の遊技玉の払出処理を行う。
【００３６】
また、台間カード処理機１０は、カードの挿入を受け付けたならば、カード管理装置４０にカード挿入通知データを送信する。また、台間カード処理機１０は、カード管理装置４０からプリペイド価値、持玉数、貯玉数を含むデータを受信したならば、受信したプリペイド価値、持玉数、貯玉数を記憶する。そして、持玉数を記憶したならば、台間カード処理機１０は、カード管理装置４０に対して持玉減算要求データを送信することで、カード管理装置４０が管理する持玉数をゼロにクリアする。
【００３７】
また、台間カード処理機１０は、持玉再プレイ操作を受け付けると、自装置に記憶した持玉数から所定数を減算し、減算した持玉数に対応する数の遊技玉の払出処理を行う。また、台間カード処理機１０は、貯玉再プレイ操作を受け付けると、カード管理装置４０に対して貯玉再プレイ要求データを送信することで、会員管理装置５０が管理する貯玉数から所定数を減算させ、減算させた貯玉数に対応する数の遊技玉の払出処理を行う。
【００３８】
また、台間カード処理機１０は、カード返却操作を受け付けたならば、自装置が管理する持玉数を含む持玉加算要求データをカード管理装置４０に送信し、カード管理装置４０に持玉数を加算させた後、カード排出通知データをカード管理装置４０に送信し、カードを排出制御する。
【００３９】
島コントローラ３０は、遊技島に設けられた一群の遊技機２０及び台間カード処理機１０を束ねる中継装置である。
【００４０】
カード管理装置４０は、カードのプリペイド価値及び持玉数等をカードデータとして管理する装置である。カード管理装置４０は、台間カード処理機１０からカード挿入通知データを受信したならば、挿入されたカードのカードＩＤと台間カード処理機１０の装置ＩＤとを関連づけて管理し、該カードＩＤに関連づけられたプリペイド価値及び持玉数を台間カード処理機１０に送信する。また、カード挿入通知データに示されたカードＩＤが会員カードのカードＩＤである場合には、カード管理装置４０は、カード挿入通知データを会員管理装置５０に送信し、会員管理装置５０から受信した貯玉再プレイデータを台間カード処理機１０に送信する。
【００４１】
また、カード管理装置４０は、台間カード処理機１０から持玉減算要求データを受信した場合には、持玉数をゼロクリアする。また、カード管理装置４０は、台間カード処理機１０から持玉加算要求データを受信した場合には、持玉加算要求データに含まれる持玉数をカード管理装置４０が管理する持玉数に加算する。
【００４２】
また、カード管理装置４０は、台間カード処理機１０から玉貸要求データを受信したならば、カードＩＤに関連付けられたプリペイド価値を所定値減算し、玉貸許可データを台間カード処理機１０に送信する。そして、貯玉再プレイ要求データを受信したならば、該貯玉再プレイ要求データを会員管理装置５０に送信し、会員管理装置５０が貯玉再プレイデータを出力したならば、貯玉再プレイデータを台間カード処理機１０に送信する。
【００４３】
また、カード管理装置４０は、賞品管理装置６０からカードＩＤを受信したならば、このカードＩＤに関連付けられた持玉数を賞品管理装置６０に対して通知する。さらに、精算機８０からカードＩＤを受信したならば、このカードＩＤに関連付けられたプリペイド価値を精算機８０に対して通知する。
【００４４】
会員管理装置５０は、遊技店に会員登録された会員の会員管理データを管理する管理装置である。具体的には、会員に対して発行した会員カードＩＤに関連付けて、貯玉数、ポイント数、暗証番号及び氏名等を管理する。
【００４５】
会員管理装置５０は、台間カード処理機１０からカード挿入通知データを受信したならば、カード挿入通知データに示されたカードＩＤに関連付けられた貯玉数及び暗証番号を含む貯玉再プレイデータを台間カード処理機１０に送信する。また、会員管理装置５０は、台間カード処理機１０から貯玉再プレイ要求データを受信したならば、貯玉再プレイ要求データに示されたカードＩＤに関連づけられた貯玉数から所定数を減算し、減算後の貯玉数を含む貯玉再プレイデータを台間カード処理機１０に送信する。なお、台間カード処理機１０と会員管理装置５０との通信は、カード管理装置４０を介して行なわれる。
【００４６】
また、会員管理装置５０は、賞品管理装置６０から貯玉数の問い合わせを受けたならば、指定されたカードＩＤに対応する貯玉数を賞品管理装置６０に通知する。
【００４７】
賞品管理装置６０は、遊技店内の賞品交換カウンタに併設された賞品交換用の端末装置であり獲得玉、貯玉数及び持玉数を賞品に交換する賞品交換処理を行う。この賞品管理装置６０には、カードからカードＩＤを読み取るカードリーダ及び賞品を払い出す賞品払出装置が接続されている。賞品管理装置６０は、一般カード又会員カードからカードＩＤを読み出した場合（若しくは、携帯端末等からカードＩＤに対応する識別データを読み出した場合）には、カードＩＤをカード管理装置４０に送信して、該カードＩＤの持玉数を要求する。また、貯玉数を賞品交換する場合は、会員管理装置５０に対して貯玉数を要求する。
【００４８】
精算機８０は、プリペイド価値が関連付けられたカードが挿入されると、このカードのカードＩＤをカード管理装置４０に送信し、その応答データを受信することにより、カードに関連付けられたプリペイド価値を取得し、取得したプリペイド価値に応じて貨幣を払い出す。
【００４９】
次に、図２に示した遊技システムの玉貸処理について説明する。遊技客が台間カード処理機１０に対して玉貸操作を行うと、台間カード処理機１０は、カード管理装置４０に玉貸要求データを送信する。この玉貸要求データは、台間カード処理機１０に挿入されているカードのカードＩＤと、送信元である台間カード処理機１０を特定するアドレス若しくは任意の識別データを含む。
【００５０】
カード管理装置４０は、玉貸要求データを受信すると、玉貸要求データのカードＩＤに関連付けられたプリペイド価値から所定値を減算する。そして、カード管理装置４０は玉貸許可データを送信元の台間カード処理機１０に送信する。玉貸許可データを受信した台間カード処理機１０は、減算したプリペイド価値に対応する遊技玉数の払出処理を行う。
【００５１】
次に、図２に示した遊技システムで持玉の再プレイを行う場合の持玉再プレイ処理について説明する。台間カード処理機１０は、一般カードあるいは会員カードの挿入を受け付けたならば、カード管理装置４０にカード挿入通知データを送信する。このカード挿入通知データは、台間カード処理機１０に挿入されているカードのカードＩＤと、送信元である台間カード処理機１０を特定するアドレス若しくは任意の識別データと、台間カード処理機１０のレートを特定するためのデータとを含む。
【００５２】
カード管理装置４０は、台間カード処理機１０からカード挿入通知データを受信したならば、該カード挿入通知データ内のカードＩＤに関連付けられた各レートの持玉数を台間カード処理機１０に通知する。
【００５３】
台間カード処理機１０は、カード管理装置４０から受信した持玉数を記憶する。そして、カードＩＤ、レートを特定するデータ及び持玉数をゼロクリアする旨を示す持玉減算要求データをカード管理装置４０に送信する。カード管理装置４０は、持玉減算要求データを受信したならば、カードＩＤにより特定される各レートの持玉数をゼロクリアする。また、台間カード処理機１０は、持玉再プレイ操作を受け付けて持玉再プレイを行う場合には、記憶した持玉数から所定数を減算し、対応する遊技玉数の払出処理を行う。払出処理を行う場合、遊技機が払出可能な単位（例えば２５玉）の倍数については、遊技機に払出指示を送信することにより払出処理を行い、残り（例えば２５玉未満）については自機のノズルユニット１８ａから払い出すことにより払出処理を行う。
【００５４】
台間カード処理機１０は、カード返却操作を受け付けたならば、カード管理装置４０に対して持玉加算要求データを送信する。この持玉加算要求データは、カード返却の対象となるカードのカードＩＤと、送信元である台間カード処理機１０を特定するアドレス若しくは任意の識別データと、各レートの持玉数とを含む。
【００５５】
カード管理装置４０は、持玉加算要求データを受け付けたならば、カードＩＤに関連付けられた各レートの持玉数に持玉加算要求データに含まれる持玉数を加算する。その後、台間カード処理機１０は、カード管理装置４０にカード排出通知データを送信し、カードを排出制御する。
【００５６】
次に、図２に示した遊技システムでの貯玉再プレイ処理について説明する。台間カード処理機１０は、会員カード又は会員カードとして使用可能な携帯端末からカードＩＤを読み取ったならば、カード管理装置４０にカード挿入通知データを送信する。このカード挿入通知データは、台間カード処理機１０に挿入されているカードのカードＩＤと、送信元である台間カード処理機１０を特定するアドレス若しくは任意の識別データと、台間カード処理機１０のレートを特定するためのデータとを含む。
【００５７】
カード管理装置４０は、台間カード処理機１０から受信したカード挿入通知データを会員管理装置５０に送信する。会員管理装置５０は、カード挿入通知データを受信したならば、該カード挿入通知データ内のカードＩＤに関連付けられた暗証番号と、貯玉のうち、該カード挿入通知データにより特定されたレートの貯玉数と、貯玉再プレイの可能数を含む貯玉再プレイデータを台間カード処理機１０に送信する。貯玉再プレイの可能数は、貯玉再プレイを行うことのできる玉数を示す。この貯玉再プレイの可能数は、貯玉再プレイにおける遊技玉の払出単位数の倍数である。貯玉再プレイに上限が設定されていれば、貯玉数と上限の範囲内で最大の値が貯玉再プレイの可能数となる。なお、貯玉再プレイの可能数の代わりに貯玉再プレイが可能な回数を貯玉再プレイ度数として用いてもよい。貯玉再プレイ度数は、貯玉再プレイにおける遊技玉の払出単位数で貯玉数を除算した商にあたる。ただし、貯玉再プレイに上限が設定されている場合には、この上限により貯玉再プレイ度数は制限される。
【００５８】
台間カード処理機１０は、受信した貯玉再プレイデータを記憶し、貯玉再プレイデータに示された貯玉再プレイの可能数が１以上である場合には貯玉再プレイ操作を受け付け可能とする。
【００５９】
台間カード処理機１０は、貯玉再プレイデータの記憶後、最初に貯玉再プレイ操作を受け付けた場合に、遊技客に対して暗証番号の入力を求め、入力された暗証番号が貯玉再プレイデータに示された暗証番号と一致するか否かを判定する。
【００６０】
台間カード処理機１０は、暗証番号が一致した場合に、カード管理装置４０に貯玉再プレイ要求データを送信する。この貯玉再プレイ要求データは、台間カード処理機１０に挿入されているカードのカードＩＤと、送信元である台間カード処理機１０を特定するアドレス若しくは任意の識別データと、台間カード処理機１０のレートを特定するためのデータとを含む。
【００６１】
カード管理装置４０は、貯玉再プレイ要求データを会員管理装置５０に送信する。会員管理装置５０は、貯玉再プレイ要求データを受信したならば、該貯玉再プレイ要求データ内のカードＩＤに関連付けられた貯玉のうち、該電文により特定されたレートの貯玉の残高を所定値減算し、貯玉再プレイの可能数を再計算する。そして、減算後の残高と貯玉再プレイの可能数とを含む貯玉再プレイデータを台間カード処理機１０に送信する。
【００６２】
台間カード処理機１０は、記憶する貯玉数を更新し、貯玉再プレイの払出単位数分の遊技玉数の払出処理を行う。また、更新後の貯玉再プレイの可能数が１以上であるかを判定する。貯玉再プレイの可能数が０であれば、貯玉再プレイ操作を受付不可とする。更新後の貯玉再プレイの可能数が１以上であれば、再度貯玉再プレイ操作を受付可能とする。２回目以降の貯玉再プレイでは、暗証番号の確認は不要である。なお、暗証番号の確認を毎回行うようにしてもよい。また、ここでは会員管理装置５０が貯玉の残高を減算した後、台間カード処理機１０が遊技玉の払出処理を行う場合を例示したが、貯玉再プレイ要求に基づいて遊技玉の払出処理を行った後に、貯玉の残高を減算してもよい。貯玉再プレイ要求前の貯玉再プレイデータに、貯玉再プレイの可能数が示されており、貯玉再プレイ要求を受け付けた後に残高不足が判明する事態とはならないためである。
【００６３】
次に、閉店処理における持玉からの貯玉への移行について説明する。カード管理装置４０は、閉店処理時にカード管理データの持玉数を確認し、ゼロより大きい持玉数が関連付けられたレコードが存在する場合には、該レコードの持玉数をカードＩＤ及びレートとともに会員管理装置５０に通知する。会員管理装置５０は、カードＩＤ及びレートにより特定される貯玉数にカード管理装置４０から通知された持玉数を加算する。その後、カード管理装置４０は、該持玉数をゼロクリアする。
【００６４】
次に、図２に示した台間カード処理機１０の外観について説明する。図３は、台間カード処理機１０の外観を示す図である。なお、図３には、遊技機２０に接続された台間カード処理機１０の外観を台間カード処理機１０として示している。また、併設される遊技機２０は、破線で図示している。また、図３では、紙幣のみを受け付ける台間カード処理機１０を図示したが、携帯端末やカードに関連付けられた電子マネーや硬貨を受け付ける機能を有するユニットを設けることもできる。
【００６５】
図３に示すように台間カード処理機１０は、状態表示部１１、紙幣挿入口１２ａ、表示操作部１３、カード挿入口１４ａ、かざし部１４ｂ、ノズルユニット１８ａ及び計数ユニット１８ｂを有する。
【００６６】
状態表示部１１は、例えば多色ＬＥＤで構成され、台間カード処理機１０の装置の状態を所定色の点灯あるいは点滅で表示する。紙幣挿入口１２ａは、遊技玉の貸出に必要な各種紙幣の挿入口である。表示操作部１３は、例えばフルカラーのタッチパネル式の液晶ディスプレイ等で構成され、操作ボタンの表示や操作ボタンによる入力操作を受け付けるデバイスである。表示操作部１３は、図３では詳細な図示を省略しているが、対応する遊技機２０側の長辺が台間カード処理機１０に軸支されて付設された平板形状をなしており、台間カード処理機１０の前面パネルと表示操作部１３の表示面のなす角度を変更可能な構成となっている。
【００６７】
カード挿入口１４ａは、遊技客の所持するカードの挿入口である。かざし部１４ｂは、会員登録に用いられた携帯端末をかざす部位であり、かざし部１４ｂに携帯端末がかざされると、携帯端末から携帯端末の固有ＩＤ（例えばＩＤｍ）等のデータが読み取られる。ノズルユニット１８ａは、遊技玉を遊技機２０に投出する機構である。ノズルユニット１８ａは、台間カード処理機１０の前面に水平方向に回動可能に設けられた筒状のノズルからなり、ノズルの先端が遊技機の貯留部に位置することができるようになっている。ノズルには、台間カード処理機１０が設置される島内の補給機構から遊技媒体の供給を受けた台間カード処理機内の玉供給装置から遊技媒体が供給されるようになっている。計数ユニット１８ｂは、遊技機２０の下皿から落下させた遊技玉を計数する機構である。計数ユニット１８ｂは、遊技玉を受け入れる受皿部と、台間カード処理機１０内の下部に設けられ遊技玉を計数センサにて計数する計数部と、受皿部から遊技媒体を計数部に通過させる計数通路部とからなる。受皿部と計数通路部は、所定の操作（例えば従業員のリモコン操作）に基づいて台間カード処理機１０から一体で取り外し可能となっている。また、計数部はユニット構造になっており、計数部と受皿部、計数通路部を取り外すことにより、台間カード処理機１０は計数機能のない運用が可能である。
【００６８】
次に、図２に示した台間カード処理機１０の構成について説明する。図４は、図２に示した台間カード処理機１０の構成を示す機能ブロック図である。図４に示すように、台間カード処理機１０は、紙幣搬送部１２と、表示操作部１３と、リーダライタ１４と、かざし部１４ｂと、通信部１５と、記憶部１６と、制御部１７と、ノズルユニット１８ａと、計数ユニット１８ｂとを有する。
【００６９】
紙幣搬送部１２は、紙幣挿入口１２ａから挿入された紙幣の金種及び真偽を判別しつつ図示しない紙幣収納部に搬送する搬送部である。表示操作部１３は、玉貸に使用可能なプリペイド価値、持玉数、貯玉数等の各種情報を受け付けたカード等から特定して表示する機能や、その他のカード等に関連しない情報を表示する機能と、玉貸操作等の各種操作の受付を行なう機能を備えるタッチパネル式の液晶ディスプレイ等の入出力装置である。表示操作部１３は、前述の表示以外に、カードの収容枚数に関する過不足の表示や、上位装置との通信状態（オンライン・オフラインなど）の表示を行う機能も有している。
【００７０】
リーダライタ１４は、カード挿入口１４ａに挿入されたカードからカードＩＤを読み取る装置である。なお、カード挿入口１４ａに挿入されたカードは、このリーダライタ１４を経て図示しないカード収納部に収納される。かざし部１４ｂは、携帯端末等がかざされた場合に、近距離無線通信により携帯端末の固有ＩＤ（例えばＩＤｍ）等の各種情報を読み取るインタフェース部である。また、リーダライタ１４は、遊技客の返却操作に応じて、カード収納部に収納されたカードにカードデータ１６ｂに示される持玉やプリペイド価値等の価値データを関連付けて新たなカードとして発行する機能も有している。ただし、カードデータ１６ｂに示されるプリペイド価値が０であって、持玉数が一定数（最低保持個数）に満たない場合には、返却操作があってもカードを返却しないように制御する。これは、少量の持玉を関連付けたカードが破棄されることにより、遊技店に損失が生じるのを抑止するための制御であって、内部に予め収納されているカードだけではなく、外部から受け付けたカード（ただし会員カードを除く）についても同様に適用される。一定数としては、例えば持玉数に玉１個あたりの貸出単価を乗算した値がカードの価額あるいは遊技店内の最低価格の賞品となるように設定することができるが、これに限らず、遊技店の方針によって自由に設定できる。また、返却操作があってもカードを返却しないように制御する場合に、記憶している持玉を払出処理することもできるが、カードが返却できない旨の表示及び／又は持玉の再プレイを促す表示を行ってもよい。
【００７１】
通信部１５は、遊技機２０及び島コントローラ３０との間のデータ通信を行なうためのインタフェース部である。ノズルユニット１８ａは、玉貸又は再プレイにより遊技玉を払い出す際に、その一部又は全ての払い出しに使用される。計数ユニット１８ｂは、遊技玉を計数するユニットである。
【００７２】
記憶部１６は、ハードディスク装置や不揮発性メモリ等からなる記憶デバイスである。記憶部１６は、自装置状態データ１６ａ及びカードデータ１６ｂを記憶する。
【００７３】
自装置状態データ１６ａは、台間カード処理機１０の状態を示すデータである。この自装置状態データ１６ａには、台間カード処理機の装置ＩＤと、遊技設定とを含む。台間カード処理機の装置ＩＤは、台間カード処理機１０を遊技店内で一意に識別するための識別データである。遊技設定は、台間カード処理機１０に設定された遊技種等を示すデータである。遊技店内で複数のレートの遊技玉を扱う場合には、４円レートの遊技玉に「玉１」、２円レートの遊技玉に「玉２」、１円レートの遊技玉に「玉３」というように、レート毎に遊技種名を設定して管理する。台間カード処理機１０は、これらの遊技種から遊技に使用するレートを選択して、遊技設定として記憶する。
【００７４】
カードデータ１６ｂは、遊技客が使用中のカードに係るデータである。カードデータ１６ｂは、カードＩＤ、プリペイド価値、持玉、貯玉、貯玉再プレイの可能数等を含む。持玉、貯玉については、遊技種（レート）ごとにデータが存在する。カードＩＤは、リーダライタ１４により読み取られたカードＩＤである。図示しないカード収納部からカード挿入口１４ａにカードが搬送され、該カードが排出される場合には、この搬送途中でリーダライタ１４により読み取られたカードＩＤによってカードデータ１６ｂが更新される。また、カード挿入口１４ａから図示しないカード収納部にカードが搬送される場合にも、この搬送途中でリーダライタ１４により読み取られたカードＩＤによってカードデータ１６ｂが更新される。
【００７５】
制御部１７は、台間カード処理機１０の全体を制御する制御部であり、データ管理部１７ａ、計数処理部１７ｂ、利用停止操作処理部１７ｃ及び利用停止処理部１７ｄを有する。
【００７６】
データ管理部１７ａは、カードが挿入された場合に、自装置状態データ１６ａの装置ＩＤと、カードデータ１６ｂのカードＩＤとを含むカード挿入通知データをカード管理装置４０に送信する。また、データ管理部１７ａは、カード管理装置４０から価値データ（プリペイド価値、持玉数及び貯玉数の少なくともいずれか）を含むデータを受信した場合に、受信した価値データによりカードデータ１６ｂを更新する。データ管理部１７ａは、カードデータ１６ｂに示されたプリペイド価値、持玉数及び貯玉数を適宜表示操作部１３に表示制御する。
【００７７】
また、データ管理部１７ａは、紙幣挿入口１２ａに紙幣が挿入されると、挿入された紙幣の金額、カードＩＤ及び台間カード処理機ＩＤを含む入金通知データをカード管理装置４０に送信する。
【００７８】
また、データ管理部１７ａは、遊技客により玉貸操作が行なわれた場合に、カードＩＤ及び装置ＩＤを含む玉貸要求データをカード管理装置４０に送信する。この玉貸要求データへの応答として玉貸許可データを受信したならば、データ管理部１７ａは、所定数の遊技玉の払出処理を行う。
【００７９】
また、データ管理部１７ａは、遊技客により持玉再プレイ操作が行なわれた場合に、カードデータ１６ｂに示された持玉数から所定数を減算し、対応する数の遊技玉の払出処理を行う。
【００８０】
また、データ管理部１７ａは、カードデータ１６ｂに示された貯玉再プレイの可能数が１以上である場合には、表示操作部１３に貯玉再プレイボタンを表示し、貯玉再プレイ操作を受付可能とする。データ管理部１７ａは、遊技客により貯玉再プレイ操作が行なわれた場合に、カードＩＤ及び台間カード処理機ＩＤを含む貯玉再プレイ要求データを会員管理装置５０に送信する。この貯玉再プレイ要求データへの応答として貯玉再プレイデータを受信したならば、カードデータ１６ｂの貯玉数を更新し、貯玉再プレイの払出単位数の遊技玉の払出処理を行う。なお、初回の貯玉再プレイ操作時には、暗証番号の入力を求め、カードデータ１６ｂに示された暗証番号と一致することを条件に貯玉再プレイ要求データを送信する。
【００８１】
また、データ管理部１７ａは、遊技客によりカード返却操作が行なわれた場合に、カードＩＤ、装置ＩＤ並びに持玉数を含む持玉加算要求データをカード管理装置４０に送信して、カードデータ１６ｂの持玉数をゼロにクリアした後、カード排出通知データをカード管理装置４０に送信し、カードを排出する。
【００８２】
また、データ管理部１７ａは、会員カードを挿入された状態で遊技客により貯玉移行操作が行なわれたならば、カードデータ１６ｂに示された持玉数を減算し、カード管理装置４０経由で会員管理装置５０に貯玉加算要求データを送信することで、持玉を貯玉に移行させる。なお、会員カードではなく、携帯端末を用いて貯玉移行を行うこともできる。具体的には、持玉数が所定数以上で、所定の操作が行われた後に携帯端末がかざし部１４ｂにかざされたならば、データ管理部１７ａは、カードデータ１６ｂに示された持玉数を減算し、かざし部１４ｂが読み取ったＩＤｍを含む貯玉加算要求データを送信することで、持玉を貯玉に移行させる。
【００８３】
計数処理部１７ｂは、計数ユニット１８ｂに遊技玉が投入された場合に、計数ユニット１８ｂに遊技玉の計数を行わせ、計数結果をカードデータ１６ｂの持玉数に加算する処理を行う。
【００８４】
利用停止操作処理部１７ｃは、遊技客からの求めを受けた遊技店員等によるカード利用停止操作を受け付け、カード管理装置４０に対してカード利用停止要求を送信する処理部である。カード利用停止操作は、例えば表示操作部１３によって受け付ける。また、遊技店員が携行する店員用端末装置がカード利用停止操作を受け付け、店員用端末装置からカード利用停止操作の受付を示す信号を受信してもよい。
【００８５】
利用停止操作処理部１７ｃがカード管理装置４０に送信するカード利用停止要求には、自装置状態データ１６ａに示された自装置の装置ＩＤを含む。また、カード利用停止要求に日時を指定するデータを含めてもよい。日時を指定するデータを含めた場合には、指定した日時に自装置が使用していたカードが利用停止の対象となる。
【００８６】
さらに、利用停止操作処理部１７ｃは、カード利用停止要求の結果をカード管理装置４０から受信し、表示操作部１３に表示制御する。カード管理装置４０によって利用対象のカードＩＤが特定され、このカードＩＤを使用中の装置が特定され、カードの利用が停止された場合には、利用停止の成功と、どの装置で使用中であるかが表示されることになる。また、カードＩＤが特定されたが、使用中の装置が特定できなかった場合には、カードＩＤが特定されたがその所在が不明である旨が表示される。
【００８７】
利用停止処理部１７ｄは、カード管理装置４０からカード利用停止指示を受信した場合に、玉貸、再プレイ、返却などを禁止することでカードの利用を停止し、カードの利用を停止した旨をカード管理装置４０に通知する。カードの利用停止は、遊技店員から所定の操作を受け付けた場合に解除される。
【００８８】
次に、台間カード処理機１０の記憶部１６に記憶されるデータの一例について説明する。図５は、台間カード処理機１０の記憶部１６に記憶されるデータの一例を説明するための説明図である。
【００８９】
図５（ａ）に示す自装置状態データ１６ａは、台間カード処理機１０のＩＤが「３００１」であり、台間カード処理機１０の遊技種として「玉１」が設定された状態を示している。
【００９０】
図５（ｂ）に示すカードデータ１６ｂは、台間カード処理機１０に挿入されたカードのＩＤが「２００２」である状態を示している。なお、ここでは、カードＩＤの上１桁がカードの種別を示しており、上１桁が「１」のカードが一般カード、上１桁が「２」のカードが会員カードである。また、カードデータ１６ｂは、プリペイド価値が「２０００度数」である状態を示している。なお、ここではプリペイド価値の度数とは１度数が１円相当である。また、カードデータ１６ｂは、玉１の持玉数が「３７５玉」であり、玉２の持玉数が「５００玉」であり、玉３の持玉数が「２０００玉」である状態を示している。
【００９１】
また、カードデータ１６ｂは、貯玉再プレイ用の暗証番号が「７７７７」であり、貯玉再プレイの可能数が「２５０玉」であり、玉１の貯玉数が「２５０玉」であり、玉２の貯玉数が「１０００玉」であり、玉３の貯玉数が「４０００玉」である状態を示している。なお、ここでは再プレイが可能な玉数を再プレイの可能数として格納する構成を示したが、再プレイの可能な回数を再プレイ度数として格納してもよい。また、図示していないが、カード管理装置４０では、カードＩＤに対応付けて、持玉、貯玉、プリペイド価値以外にカードの有効/無効を示す「ロック」フラグのＯＮ/ＯＦＦも記憶しており、カードの盗難が発覚した場合に従業員操作によってＯＮにされる。これらのデータもカードデータ１６ｂに含まれて記憶されている。さらに、この「ロック」フラグは機能（「貯玉使用」、「乗入」等）別にも設定できるようになっており、例えば遊技客の要望により「乗入」の機能だけを「ロック」の対象として、誤操作を防ぐことに用いることもできる。なお、本明細書中で「乗入」とは、あるレートの遊技媒体数を他のレートの遊技媒体数に遊技媒体の単価の比率に基づいて換算して使用することを意味する。具体的な例では、４円レートに対応付けられた台間カード処理機１０において、１円レートの玉数Ｘを使用して、Ｘ×（１円／４円）＝Ｘ／４の玉数を払出処理することが例示できる。この「乗入」の機能は、店舗の運営方針により会員管理装置５０で有効／無効を切り替えることができる。
【００９２】
また、台間カード処理機１０は、カードの返却をロックする機能（以下、「返却ロック機能」と称することもある）を備えている。これは、カードに関連付けられたプリペイド価値あるいは持玉などの価値があらかじめ設定された所定値（例えばプリペイド価値１００円、持玉２５玉など）以上ある場合に、遊技客の任意でパスワード（例えば数字４桁）を設定することを可能とし、カードの返却操作が行われた場合には、当該設定されたパスワードと同一のパスワードが入力されることを条件に返却操作に対応する動作を行う機能である。このパスワードは、価値が所定値以上ある場合には設定が維持されるが、所定値を下回った場合、例えば価値がいずれも零となった場合には設定がクリアされる。この所定値は、遊技店が任意で設定することができ、例えば所定値を零と設定することで、価値が発生すれば必ずこの処理を行いうるようにしてもよい。また、カードの返却がロックされた状態においても、その他の操作、例えば貸出操作、持玉払出操作などは行いうるようにすることで、セキュリティを高めつつ利便性を維持できるようにすることが好ましい。なお、台間カード処理機１０が撮像装置（例えばカメラ）などの遊技客個人を特定できる手段を有している場合には、上記の制御に加えて、返却ロック機能によるカード返却のロックが行われていない状態であっても、これらの手段により遊技客の入れ替わりを判断した場合には、同一客への交替が判断されない限りカードの返却をロックする状態を自動的に設定するようにしてもよい。
【００９３】
次に、図２に示したカード管理装置４０の構成について説明する。図６は、図２に示したカード管理装置４０の構成を示す機能ブロック図である。図６に示すように、カード管理装置４０は、表示部４１、入力部４２、外部ネットワーク通信部４３、店舗ネットワーク通信部４４、記憶部４５及び制御部４６を有する。
【００９４】
表示部４１は、液晶ディスプレイ装置等の表示デバイスである。入力部４２は、キーボードやマウス等の入力デバイスである。外部ネットワーク通信部４３は、遊技店外の装置とデータ通信するためのインタフェース部である。店舗ネットワーク通信部４４は、遊技店内において通信回線を介して島コントローラ３０、会員管理装置５０、賞品管理装置６０及び精算機８０とデータ通信するためのインタフェース部である。
【００９５】
記憶部４５は、ハードディスク装置や不揮発性メモリ等の記憶デバイスであり、遊技種設定データ４５ａ、カード管理データ４５ｂ、装置管理データ４５ｃ及び使用履歴データ４５ｄを記憶する。
【００９６】
遊技種設定データ４５ａは、貸出レート及び表示名を遊技種に関連付けたデータである。カード管理データ４５ｂは、プリペイド価値と、各遊技種の持玉数と、該カードが挿入されている台間カード処理機１０の装置ＩＤを示す使用先装置ＩＤとをカードＩＤに関連付けたデータである。装置管理データ４５ｃは、遊技店に配置された装置に関するデータである。この装置管理データ４５ｃは、台間カード処理機の装置ＩＤ、台間カード処理機１０のアドレス、設置場所、併設された遊技機の遊技機ＩＤ及び機種データを含む。
【００９７】
使用履歴データ４５ｄは、台間カード処理機１０によるカードの使用履歴を管理するデータである。具体的には、台間カード処理機１０の装置ＩＤに対し、カードの使用開始時刻、使用終了時刻及びカードＩＤを関連付けている。
【００９８】
制御部４６は、カード管理装置４０の全体を制御する制御部であり、遊技種設定管理部４６ａ、カード管理部４６ｂ、装置管理部４６ｃ、使用履歴管理部４６ｄ、利用停止対象特定部４６ｅ及び利用停止指示部４６ｆを有する。実際には、これらの機能部に対応するプログラムを図示しないＲＯＭや不揮発性メモリに記憶しておき、これらのプログラムをＣＰＵ（Central Processing Unit）にロードして実行することにより、遊技種設定管理部４６ａ、カード管理部４６ｂ、装置管理部４６ｃ、使用履歴管理部４６ｄ、利用停止対象特定部４６ｅ及び利用停止指示部４６ｆにそれぞれ対応するプロセスを実行させることになる。
【００９９】
遊技種設定管理部４６ａは、遊技店において使用される遊技種と、レートと、表示名とを対応付けて遊技種設定データ４５ａとして管理する処理部である。
【０１００】
カード管理部４６ｂは、カード管理データ４５ｂの管理を行う処理部である。具体的には、カード管理部４６ｂは、台間カード処理機１０からカード挿入通知データを受信した場合には、カード挿入通知データに示されたカードＩＤの使用先装置ＩＤを、同じくカード挿入通知データに示された装置ＩＤとする。また、カード挿入通知データに示されたカードＩＤに関連付けられたプリペイド価値と各レートの持玉数とを価値データとして台間カード処理機１０に通知する。また、挿入されたカードが会員カードである場合には、会員管理装置に対してカード挿入通知データを送信する。カード管理部４６ｂは、台間カード処理機１０から持玉減算要求データを受信した場合に、持玉減算要求データに示されたレートの持玉数をゼロにクリアする。
【０１０１】
また、カード管理部４６ｂは、台間カード処理機１０からカードＩＤを含む玉貸要求データを受信した場合に、該カードＩＤに関連付けられたプリペイド価値が所定値以上であるか否かを判定する。プリペイド価値が所定値以上である場合には、カード管理部４６ｂは、カード管理データ４５ｂに記憶されるプリペイド価値から所定値を減算して、台間カード処理機１０に更新後のプリペイド価値を含む玉貸許可データを送信する。一方、プリペイド価値が所定値未満である場合には、カード管理部４６ｂは、台間カード処理機１０に玉貸不可データを通知する。
【０１０２】
また、カード管理部４６ｂは、台間カード処理機１０から投入された貨幣の金額、カードＩＤ及び装置ＩＤを含む入金通知データを受信したならば、該カードＩＤに関連付けられたプリペイド価値に入金通知に示された金額分のプリペイド価値を加算する。
【０１０３】
また、カード管理部４６ｂは、台間カード処理機１０から貯玉再プレイ要求データを受信した場合には、該貯玉再プレイ要求データを会員管理装置５０に転送する。また、貯玉再プレイ要求データに対する会員管理装置５０からの応答データについても、台間カード処理機１０に転送する。
【０１０４】
また、カード管理部４６ｂは、持玉加算要求データを受信したならば、該当するレートの持玉数に持玉加算要求データに含まれる持玉数を加算する。また、カード管理部４６ｂは、カード排出通知データを受信したならば、該カードＩＤの使用先装置ＩＤを消去する。
【０１０５】
また、カード管理部４６ｂは、賞品管理装置６０からカードＩＤを受信したならば、このカードＩＤに対応づけられた各レートの持玉数を賞品管理装置６０に対して通知する。また、カード管理部４６ｂは、精算機８０からカードＩＤを受信したならば、このカードＩＤに対応づけられたプリペイド価値を精算機８０に対して通知する。
【０１０６】
装置管理部４６ｃは、装置管理データ４５ｃの管理を行う処理部である。装置管理部４６ｃは、台間カード処理機１０から取得した装置ＩＤ、台間カード処理機１０のアドレス、設置場所及び遊技機ＩＤに基づいて、装置管理データ４５ｃの生成と更新とを行う。
【０１０７】
使用履歴管理部４６ｄは、台間カード処理機１０によるカードの使用履歴を管理する処理部である。具体的には、使用履歴管理部４６ｄは、台間カード処理機１０からのカード挿入通知データ又は入金通知データにより新たなカードの使用を検知した場合に、台間カード処理機１０の装置ＩＤに使用開始時刻とカードＩＤとを関連付けて使用履歴データ４５ｄに追加する。そして、カード排出通知データ又は価値の使い切りによって台間カード処理機１０におけるカードの使用終了を検知した場合に、使用履歴データ４５ｄの該当箇所に使用開始時刻を追加する。
【０１０８】
利用停止対象特定部４６ｅは、台間カード処理機１０からカード利用停止要求を受信した場合に、使用履歴データ４５ｄを参照し、カード利用停止要求に示された装置ＩＤに基づいて利用停止の対象となるカードＩＤを特定する記憶媒体特定手段として機能する。このとき、カード利用停止要求において日時の指定がなければ、カード利用停止要求に示された装置ＩＤを有する台間カード処理機１０が最後に使用したカードを利用停止の対象として特定する。また、カード利用停止要求において日時の指定があるならば、カード利用停止要求に示された装置ＩＤを有する台間カード処理機１０が指定された日時に使用したカードを利用停止の対象として特定する。
【０１０９】
さらに、利用停止対象特定部４６ｅは、使用履歴データ４５ｄを参照し、特定したカードＩＤのカードを使用している装置を使用中装置として特定する。
【０１１０】
利用停止指示部４６ｆは、利用停止対象特定部４６ｅにより使用中装置が特定された場合には、使用中装置に対してカード利用停止指示を送信する。そして、使用中装置からカードの利用を停止した旨の通知を受けた場合には、カード利用停止要求を送信した台間カード処理機１０に利用停止の成功と、どの装置で使用中であるかを利用停止結果として通知する。なお、ここで、使用中装置が特定された場合に即座に利用停止指示を送信する処理を行わなくてもよい。例えば、使用中装置が特定された場合であっても、カードＩＤに関する状態を「利用停止」に設定し、この状態で利用停止の対象のカードに関する更新要求があった場合に、「利用停止」の状態が返信されるようにする。これにより、台間カード処理装置１０に利用停止の状態が設定されるようにしてもよい。また、カード利用停止指示を受けた台間カード処理機１０は、対象のカードが「返却ロック機能」によるロックの対象となっていたとしても、これに優先してカードの利用停止を行う。つまり、カードの返却がロックされているか否かにかかわらず、カードの利用停止が行われる。
【０１１１】
また、利用停止指示部４６ｆは、カードＩＤが特定されたが、使用中の装置が特定されなかった場合には、カードＩＤを特定したがその所在が不明であるとの利用停止結果をカード利用停止要求の送信元である台間カード処理機１０に通知する。
【０１１２】
なお、カードＩＤが特定されたが使用中の装置が特定されなかった場合には、特定されたカードＩＤに関する状態を「利用停止」に設定する。この状態でいずれかの装置で利用停止対象のカードＩＤのカードを受け付けると、カードＩＤを用いたカードデータの問い合わせに対して、「利用停止」の状態が返信される。これにより、台間カード処理装置１０には利用停止の状態が設定される。なお、使用履歴データ４５ｄに対する監視を行い、いずれかの装置で利用停止対象のカードＩＤが使用されたときに、使用した装置にカード利用停止指示を送信する処理としてもよい。もしくは、カードを使用する可能性のある装置（台間カード処理機１０、賞品管理装置６０、精算機８０）に対して利用停止対象のカードＩＤを通知し、カードの利用停止を予め指示してもよい。
【０１１３】
さらに、カードＩＤが特定されたが使用中の装置が特定されなかった場合において、カードの利用停止を求めた遊技客が他のカードを用いて遊技を行っているならば、遊技客がその時点で使用中のカードＩＤを通知先カードＩＤとして別途管理しておき、利用停止対象のカードＩＤが使用されたときに、通知先カードＩＤを使用中の装置に通知を行ってもよい。
【０１１４】
次に、図６に示したカード管理装置４０の記憶部４５が記憶するデータの一例について説明する。図７及び図８は、カード管理装置４０の記憶部４５に記憶されるデータの一例を説明するための説明図である。
【０１１５】
図７（ａ）に示す遊技種設定データ４５ａは、遊技種名「玉１」に対し、レート「４円」及び表示名「４パチ」を関連付けている。また、遊技種設定データ４５ａは、遊技種名「玉２」に対し、レート「２円」及び表示名「２パチ」を関連付けている。また、遊技種設定データ４５ａは、遊技種名「玉３」に対し、レート「１円」及び表示名「１パチ」を関連付けている。
【０１１６】
図７（ｂ）に示すカード管理データ４５ｂでは、カードＩＤ「１００１」にプリペイド価値「２５００」と、玉１の持玉数「１５００」と、玉２の持玉数「２３００」と、玉３の持玉数「０」とが関連付けられている。すなわち、カードＩＤ「１００１」のカードは、台間カード処理機１０に挿入されておらず、持玉の管理がカード管理装置４０により行われている。
【０１１７】
また、図７（ｂ）に示すカード管理データ４５ｂでは、カードＩＤ「１００２」にプリペイド価値「５００」、各レートの持玉数「０」、使用先装置ＩＤ「３００４」が関連付けられている。すなわち、カードＩＤ「１００２」のカードは、装置ＩＤ「３００４」の台間カード処理機１０に挿入されており、持玉数については台間カード処理機１０に管理が移っている。このため、各レートの持玉数はゼロである。
【０１１８】
また、図７（ｂ）に示すカード管理データ４５ｂでは、カードＩＤ「１０３３」にプリペイド価値「３０００」、各レートの持玉数「０」、使用先装置ＩＤ「３００７」が関連付けられている。すなわち、カードＩＤ「１０３３」のカードは、装置ＩＤ「３００７」の台間カード処理機１０に挿入されており、持玉数については台間カード処理機１０に管理が移っている。このため、各レートの持玉数はゼロである。
【０１１９】
また、図７（ｂ）に示すカード管理データ４５ｂでは、カードＩＤ「２００２」にプリペイド価値「２０００」、各レートの持玉数「０」、使用先装置ＩＤ「３００１」が関連付けられている。すなわち、カードＩＤ「２００２」のカードは、装置ＩＤ「３００１」の台間カード処理機１０に挿入されており、持玉については台間カード処理機１０に管理が移っている。このため、各レートの持玉数はゼロである。
【０１２０】
さらに、図７（ｂ）に示すカード管理データ４５ｂは、カードＩＤ「１００１」、カードＩＤ「１００２」及びカードＩＤ「２００２」に利用停止の対象ではないことを示す「非対象」を関連付け、カードＩＤ「１０３３」に利用停止の対象であることを示す「対象」を関連付けた状態を示している。
【０１２１】
図７（ｃ）に示す装置管理データ４５ｃは、ＩＤ「３００１」の台間カード処理機１０のネットワーク上のアドレスが「ＡＢ．ＣＤ．ＥＦ．ＧＨ」であり、設置場所が「島１−１」であり、接続された遊技機２０のＩＤが「Ｐ００１」であり、遊技種が「玉３」であり、接続された遊技機２０の機種が「ＥＶ０１」である状態を示している。また、この遊技機２０が使用中であることも示している。
【０１２２】
図８（ｄ）に示す使用履歴データ４５ｄは、装置ＩＤに対し、カードの使用開始時刻、使用終了時刻及びカードＩＤを関連付けている。一例として、図８では、装置ＩＤ「３０２４」の台間カード処理機１０が使用開始時刻「１１：２０」から使用終了時刻「１４：５４」までカードＩＤ「１０３３」のカードを使用していた状態を示している。また、装置ＩＤ「３００７」の台間カード処理機１０が使用開始時刻「１５：０１」からカードＩＤ「１０３３」のカードを使用中である状態を示しており、カードの使用が終了していないため使用終了時刻は空白となっている。
【０１２３】
次に、カードの利用停止に係る台間カード処理機１０の処理手順について説明する。図９は、カードの利用停止に係る台間カード処理機１０の処理手順を示すフローチャートである。まず、台間カード処理機１０の利用停止操作処理部１７ｃは、遊技店員等によるカード利用停止操作を受け付けたか否かを判定する（ステップＳ１０１）。
【０１２４】
遊技店員等によるカード利用停止操作を受け付けたならば（ステップＳ１０１；Ｙｅｓ）、利用停止操作処理部１７ｃは、カード管理装置４０に対してカード利用停止要求を送信する（ステップＳ１０２）。その後、利用停止操作処理部１７ｃは、カード利用停止要求の結果である利用停止結果をカード管理装置４０から受信し（ステップＳ１０３）、表示操作部１３に表示する（ステップＳ１０４）。この利用停止結果には、利用停止の対象となったカードのカードＩＤ、使用中の装置の装置ＩＤ、持玉、返却前の処理などを含めることができる。これらの情報の表示については後述する。
【０１２５】
ステップＳ１０４の後、若しくは遊技店員等によるカード利用停止操作を受け付けていない場合（ステップＳ１０１；Ｎｏ）、利用停止処理部１７ｄは、カード管理装置４０からカード利用停止指示を受信したか否かを判定する（ステップＳ１０５）。
【０１２６】
カード管理装置４０からカード利用停止指示を受信していなければ（ステップＳ１０５；Ｎｏ）、利用停止処理部１７ｄは、そのまま処理を終了する。一方、カード管理装置４０からカード利用停止指示を受信したならば（ステップＳ１０５；Ｙｅｓ）、利用停止処理部１７ｄは、玉貸、再プレイ、返却などを禁止することでカードの利用を停止し、カードの利用を停止した旨をカード管理装置４０に通知して（ステップＳ１０６）、処理を終了する。この通知内容の詳細については後述する。
【０１２７】
次に、カードの利用停止に係るカード管理装置４０の処理手順について説明する。図１０は、カードの利用停止に係るカード管理装置４０の処理手順を示すフローチャートである。まず、利用停止対象特定部４６ｅは、台間カード処理機１０からカード利用停止要求を受信すると（ステップＳ２０１）、使用履歴データ４５ｄを参照し、カード利用停止要求に示された装置ＩＤに基づいて利用停止の対象となるカードＩＤを特定する（ステップＳ２０２）。さらに、利用停止対象特定部４６ｅは、使用履歴データ４５ｄを参照し、特定したカードＩＤのカードを使用している装置を使用中装置として特定する（ステップＳ２０３）。
【０１２８】
使用中装置が特定された場合には（ステップＳ２０４；Ｙｅｓ）、利用停止指示部４６ｆは、使用中装置に対してカード利用停止指示を送信する（ステップＳ２０５）。そして、使用中装置からカードの利用を停止した旨の通知を受け、カード利用停止要求を送信した台間カード処理機１０に利用停止の成功と、どの装置で使用中であるかを利用停止結果として送信し（ステップＳ２０６）、処理を終了する。
【０１２９】
一方、使用中装置が特定されない場合には（ステップＳ２０４；Ｎｏ）、利用停止指示部４６ｆは、カードＩＤを特定したがその所在が不明であるとの利用停止結果をカード利用停止要求の送信元である台間カード処理機１０に送信し（ステップＳ２０６）、処理を終了する。また、利用停止結果には、利用停止の対象となったカードのカードＩＤ、使用中の装置の装置ＩＤ、持玉、返却前の処理などを含めることができる。
【０１３０】
図１１は、カードの利用停止に係る表示についての説明図である。図１１では、ある台間カード処理機１０がカード管理装置４０に対してカード利用停止要求を行い（Ｓ１ａ）、カード管理装置４０が対象となるカードを使用中の台間カード処理機１０に対してカード利用停止指示を送信し（Ｓ２ａ）、要求元の台間カード処理機１０に利用停止結果を送信した（Ｓ３ａ）状態を示している。
【０１３１】
カード利用停止指示を受信した台間カード処理機１０は、各種操作の受付を禁止することでカードの利用を停止するとともに、「カードの使用が制限されています。店員を呼んで下さい。」との表示を行っている。この表示はあくまで一例であり、エラー表示やブラックアウトによって使用ができないことを報知してもよい。
【０１３２】
利用停止結果を受信した台間カード処理機１０は、利用停止の対象となったカードのカードＩＤ、使用中装置ＩＤ、持玉、返却前の処理などを表示することができる。図１１では、使用中装置ＩＤ「３００７」、カードＩＤ「１０３３」、現在のプリペイド残高「３０００円」持玉「４パチ  ５００玉」、返却前の処理「玉貸」を表示することで、利用停止の対象となったカードのその時点での状態を報知している。なお、この表示はあくまで一例であり、他の遊技種の持玉、貯玉などの情報を表示することもできる。また、返却前の処理として、複数の操作履歴を表示してもよい。
【０１３３】
次に、利用停止対象のカードが賞品交換カウンタの賞品管理装置６０で読み取られた場合について説明する。図１２は、図２に示した賞品管理装置６０の外観構成を示す図である。図１２に示すように、賞品管理装置６０は、遊技店員用の筐体と遊技客用の筐体とを通信線により接続した構成を有する。遊技店員用の筐体には、店側表示部６１、操作部６２、レシート発行部６３、カードリーダ６７ａ及び店員タグリーダ６７ｂが設けられている。遊技客用の筐体には客側表示部６４及び携帯端末リーダ６７ｃが設けられている。
【０１３４】
遊技店員は、遊技客に提示されたカードをカードリーダ６７ａにかざすことにより、該カードからカードＩＤを読み取らせ、カードＩＤに対応付けられた持玉及び貯玉の残高を特定する。台間カード処理機１０が各台で獲得した玉を計数するための各台計数機を有する場合には、遊技客により提示されるカードには、台間カード処理機１０で発行された会員登録していない遊技客が保有する一般カードと、遊技店に会員登録した遊技客が保有する会員カードが含まれる。一般カードには各台計数機で計数した持玉が関連付けられており、会員カードには持玉と会員が預け入れを行った貯玉とが関連付けられている。一方、台間カード処理機１０が各台計数機を有しない場合には、島端に玉を計数するための島端計数機９０が設けられ、計数結果は島端計数機９０からレシートで発行される。このような場合には、賞品管理装置６０にはレシートに記録されるバーコード（玉数を当該バーコードから特定することができる）を読み取るためのバーコードリーダが別途設けられ、当該バーコードから特定された玉数を獲得玉数として特定する。また、これらのレシート、カードなどの媒体に関連付けられた遊技玉数（持玉数、貯玉数、獲得玉数）は、合計することができる。特定した遊技玉数は、特殊賞品や一般賞品との交換に使用される。遊技店の店員は、自身の店員タグを店員タグリーダ６７ｂにかざすことにより、権限の認証を受けることができる。
【０１３５】
店側表示部６１は、操作者である店員用の表示部兼操作部であり、タッチパネルカラー液晶ディスプレイ等からなる。この店側表示部６１には、賞品交換内容や操作ガイダンスなどが表示される。操作部６２は、テンキー、専用キー及びモードキー等の複数のキーからなり、賞品交換操作入力などを行う際に使用される。専用キーには、特殊賞品との高速交換を行うための高速交換キーや、賞品ごとに対応付けられた個別賞品キーや、貯玉処理を行うための貯玉キーなどが含まれる。
【０１３６】
レシート発行部６３は、登録リストや集計リスト等の各種レシートを発行処理する発行部であり、感熱式プリンタ等からなる。
【０１３７】
遊技客用の筐体に設けられた客側表示部６４は、蛍光表示管やタッチパネルカラー液晶ディスプレイ等からなる。遊技客は、この客側表示部６４の表示内容を確認することにより、カードに対応付けられる持玉や貯玉の残高を確認することができる。さらに、客側表示部６４は、上位の装置（例えばカード管理装置４０）からイベント情報などを設定データとして通知された場合には、該イベント情報を表示することができる。また、客側表示部６４は、貯玉を使用する際の暗証番号の入力にも使用される。携帯端末リーダ６７ｃは、会員カードとして使用可能な携帯端末がかざされた場合に、該携帯端末からカードＩＤに対応する情報を読み取る。このカードＩＤに対応する情報により、持玉数及び貯玉数が特定される。
【０１３８】
図１３は、賞品管理装置６０が利用停止対象のカードを読み取った場合の画面例である。図１３では、賞品管理装置６０が３枚の一般カードを読み取っている。１枚目のカードは、カードＩＤが「１０１７」、４パチ（遊技種  玉１）の持玉が「１２００」である。２枚目のカードは、カードＩＤが「１０３３」、４パチ（遊技種  玉１）の持玉が「５００」である。３枚目のカードは、カードＩＤが「１００９」、４パチ（遊技種  玉１）の持玉が「７２０」である。
【０１３９】
この３枚のカードのうち、カードＩＤ「１０３３」のカードが利用停止対象であるので、カードＩＤ「１０３３」に対応付けて「使用制限中」との表示と、「確認」ボタンの表示を行っている。また、「合計の前に確認ボタンを押して下さい」とのメッセージを表示している。ここでは図示していないが、賞品管理装置６０では、読み取ったカードにプリペイド残高がある場合には、プリペイド残高が残存していることを認識できる表示（例えば警告表示、残高表示など）が店側表示部６１、あるいは店側表示部６１と客側表示部６４の両方に表示されるようになっており、賞品交換とは別にプリペイド残高の処理が必要であることがわかるようになっている。
【０１４０】
このように、利用停止対象のカードを受け付けた場合には処理を一旦停止し、利用停止対象のカードを店員に報知する。そして、店員が「確認」ボタンを操作した場合には、以降の処理、すなわち賞品交換を許可することができる。「確認」ボタンの操作後は、利用停止対象のカードの持玉等を除外して他のカードの持玉等を合算し、賞品交換を行うことができる。このため、利用停止対象外のカードについては、賞品交換に用いることができる。また、「確認」ボタンの操作により利用停止対象のカードの持玉等についても合計の対象とできるように構成してもよい。この場合、店員が遊技客に利用停止対象のカードについて事情の聞き取りを行い、問題が無ければ交換処理を継続することが可能になる。
【０１４１】
なお、上記の実施形態では、利用停止対象のカードを受け付けた場合に処理を一旦停止する例を示したが、カードの読み込み処理については処理を停止しないように構成してもよい。つまり、複数枚カード内に利用停止対象のカードがある場合には、玉数の合計は通常通り行われる一方で、いずれのカードが使用制限中であるかを認識可能な表示と、確認操作が必要な旨が表示される。そして、確認操作が行われたことを条件として、以降の処理（交換賞品の選択など）を行いうるようにしてもよい。また、カードの読み込み以前に交換賞品の選択が可能である場合には、選択された賞品を交換可能な玉数分のカードが読み込まれたとしても、確認操作がなければ交換処理の確定のための操作（例えば、「確定」ボタンの操作）が行えないようにすればよい。
【０１４２】
また、上記の実施形態では、利用停止対象のカードを受け付けた場合に処理を一旦停止する例を示したが、利用停止対象のカードを受け付けた場合にエラー表示やブラックアウトによって以降の処理を制限するようにしてもよい。
【０１４３】
なお、精算機８０についても、利用停止対象のカードを受け付けた場合には精算処理を行わないことが望ましい。この場合には、「カードの使用が制限されています。店員を呼んで下さい。」との表示を行えばよい。また、エラー表示やブラックアウトによって使用ができないことを報知してもよい。
【０１４４】
上述してきたように、本実施例１では、カード利用停止操作を受け付けた台間カード処理機１０が自装置の装置ＩＤをカード管理装置４０に送信し、カード管理装置４０が装置ＩＤに基づいて利用停止の対象となるカードを特定し、特定されたカードの使用を制限するよう構成したので、台間カード処理機１０にカードの使用履歴を記憶させることなく、簡易な構成で記憶媒体であるカードの使用に係る制限を効率的に行うことができる。
【０１４５】
なお、プリペイド価値や持玉について、所定数の「使い切り基準値」（例えば持玉２５玉、プリペイド価値１００円相当分など）を設け、「使い切り基準値」を下回る場合にカードが「使い切られた」と見なし、利用停止対象としないよう構成してもよい。この場合には、利用停止の要求元には、使い切り済である旨が通知されることになる。「使い切り基準値」は、管理装置４０における操作にて、任意に設定可能とする。また、現在の値が使い切り基準値を下回っていないとしても、カードが対象の装置から排出されて以降、一度でも使い切り基準値を下回った履歴があれば利用停止対象としないよう構成することもできる。
【０１４６】
なお、精算機８０における精算で利用停止対象のカードが使い切られた場合には、精算において出金された紙幣の記番号（紙幣が発行される場合に紙幣を個別に識別するために紙幣に付される通し番号であって、例えば６桁の英数字からなる）を記憶しておき、当該紙幣の遊技場内での使用を制限するようにしてもよい。
【０１４７】
例えば、台間カード処理機１０と精算機８０には、紙幣の記番号を識別できる紙幣識別機を搭載しておく。精算機８０においては、カードの精算を行った場合に、出金に用いた紙幣の記番号を記憶する機能を備える。そして、カードの利用停止を行った場合に、精算機８０にて精算済であった場合には、精算機８０が記憶している記番号のうち、当該カードに対応する記番号を管理装置４０に通知し、管理装置４０は全台の台間カード処理機１０に対して、当該記番号を制限の対象として通知する。台間カード処理機１０は、当該記番号の紙幣を受け付けたことを紙幣識別機で認識した場合、エラーダウン等の制限処理を行う。ただし、台間カード処理機１０への記番号識別機能を有する紙幣識別機の搭載は必須ではなく、島端等に設けられたカード販売・入金機のみにこの機能を有するようにしてもよい。この場合、カードの利用停止が行われた場合には島端等に設けられたカード販売・入金機のみでのカード発行・入金が可能であり、台間カード処理機１０での発行・入金は禁止される。
【実施例２】
【０１４８】
次に、本実施例２に係る遊技管理システムについて説明する。実施例１では、カード利用停止操作に基づいてカード管理装置４０が利用停止の対象となるカードＩＤを一意に特定し、利用停止を行う構成について説明したが、本実施例２では、カード利用停止操作に基づいてカード管理装置が利用停止の対象となるカードＩＤの候補を抽出し、候補から選択されたカードＩＤについて利用停止を行う構成について説明する。
【０１４９】
また、本実施例２では、台間カード処理機がカード利用停止指示を受けた場合に、遊技客の交代が行われているか否かを判定し、遊技客が交代している場合には利用停止を回避する構成としている。一般カードは、遊技を終了した場合に台間カード処理機に取り込まれ、次の遊技客の遊技において再利用される。すなわち、不正にカードを取得した遊技客が遊技を終了すると、そのカードが取り込まれた後、不正を行っていない次の遊技客によって利用される場合があり、このように不正を行っていない遊技客の利用を停止すると、遊技客にとって不当となるためである。
【０１５０】
図１４は、本実施例２に係る遊技管理システムの概念の説明図である。台間カード処理機１１０は、遊技客からの求めを受けた遊技店員によりカード利用停止操作を受け付けると（Ｓ１１）、カード管理装置１４０に対してカード利用停止要求を送信する（Ｓ１２）。このカード利用停止要求は、台間カード処理機１１０の装置ＩＤを含む。
【０１５１】
カード管理装置１４０は、台間カード処理機１１０によるカードの使用履歴を管理しており、台間カード処理機１１０からカード利用停止要求を受信すると、カード利用停止要求に示された装置ＩＤに基づいて利用停止の対象となるカードＩＤの候補を抽出する（Ｓ１３）。
【０１５２】
例えば、装置ＩＤ「３０２４」の台間カード処理機１１０からカード利用停止要求を受信した場合には、この台間カード処理機１１０が直近に使用した所定数（例えば１０）のカードのカードＩＤを抽出する。なお、日時を追加して指定すれば、その日時の前後に指定された装置が使用していた所定数のカードＩＤを抽出することができる。
【０１５３】
カード管理装置１４０は、利用停止の対象となるカードＩＤの候補を抽出した後、抽出した候補をリストとして台間カード処理機１１０に送信する（Ｓ１４）。台間カード処理機１１０は、受信した候補のリストを表示する（Ｓ１５）。図１４では、候補リストについてカードＩＤとプリペイド価値の残高を表示している。具体的には、カードＩＤ「１００７」で最終残高「５００円」のカードと、カードＩＤ「１０３３」で最終残高「５０００円」のカードと、カードＩＤ「１０２５」で最終残高「２０００円」のカードを表示した状態を示している。
【０１５４】
台間カード処理機１１０は、表示した候補から利用停止対象の選択操作を受け付け（Ｓ１６）、カード管理装置１４０に対して停止対象を通知する（Ｓ１７）。カード管理装置１４０は、停止対象のカードＩＤの通知を受けると、通知されたカードＩＤのカードを使用している装置を使用中装置として特定する（Ｓ１８）。
【０１５５】
カード管理装置１４０は、使用中装置を特定したならば、使用中装置に対してカード利用停止指示を送信する。カード利用停止指示を受信した台間カード処理機１１０は、玉貸、再プレイ、返却などを禁止することでカードの利用を停止する（Ｓ５）。
【０１５６】
このように、遊技客が所定の時点で利用していた台間カード処理機１１０の装置ＩＤをカード管理装置１４０が取得し、装置ＩＤから利用停止の対象となるカードＩＤの候補を抽出し、候補から選択されたカードＩＤの使用を制限することで、台間カード処理機１１０にカードの使用履歴を記憶させることなく、簡易な構成でカードの使用に係る制限を効率的に行うことができる。
【０１５７】
図１５は、候補リストの表示と利用停止対象の選択についての説明図である。図１５（ａ）に示すように、カードＩＤ「１００７」で最終残高「５００円」のカードと、カードＩＤ「１０３３」で最終残高「５０００円」のカードと、カードＩＤ「１０２５」で最終残高「２０００円」のカードを表示した状態（Ｓ１５）で、いずれかのカードを選択すると、選択したカードの詳細表示（１５ａ）が行われる。
【０１５８】
図１５の詳細表示では、カードＩＤ「１０３３」が選択され、詳細として使用中装置ＩＤ「３００７」、カードＩＤ「１０３３」、現在のプリペイド残高「３０００円」持玉「４パチ  ５００玉」、返却前の処理「玉貸」を表示している。また、停止対象として確定するための「選択」ボタンと、候補リストの表示に戻るための「戻る」ボタンが表示されている。この詳細表示における「選択」ボタンに対する操作を、停止対象選択操作（Ｓ１６）として受け付けることになる。
【０１５９】
ここで、遊技客が携帯端末を用いて貯玉移行を行い、カードデータ１６ｂの持玉とプリペイド価値が「０」となった場合には、それまで使用されていた一般カードは台間カード処理機１１０に取り込まれる。このような場合には、図１５（ｂ）の候補リストの３番目に示すように、カードＩＤは空白となる。そして、カードＩＤが空白となった候補リストの３番目を選択すると、貯玉移行による移行先を示す情報（携帯端末の識別情報や会員カードのカードＩＤ）を含む詳細が表示される。
【０１６０】
図１５（ｂ）では、詳細としてカードＩＤ「（携帯貯玉）」、携帯ＩＤｍ「ＩＤｍＸ１」、現在のプリペイド残高「２０００円」、持玉「なし」、貯玉「４パチ  １２２０玉」が表示されている。
【０１６１】
既に説明したように、候補リストとしては、台間カード処理機１１０が直近に使用した所定数（例えば１０）のカードの履歴からカードＩＤを抽出するのであるが、候補として不適な履歴については除外して抽出を行ってもよい。
【０１６２】
具体的には、一般カードが同一人物により営業日を跨いで使用されることはないため、前日以前の一般カードは候補として不適である。前日以前の一般カードを表示し、選択しても適正な使用停止とはならず、操作ミスにより誤って使用停止を行う可能性のみが残るからである。
【０１６３】
そこで、候補リストの表示に際しては、前日以前の一般カードを除外する。なお、会員カードは同一人物により営業日を跨いで使用することが可能であるため、前日以前の履歴であっても候補として表示する。また、閉店処理及び開店処理を行った場合でも、営業日付が同一であれば、一般カードを候補として表示する。
【０１６４】
図１６は、本実施例２に係る台間カード処理機１１０の構成についての説明図である。図１６に示した台間カード処理機１１０は、制御部１７の利用停止操作処理部１１７ｃ及び利用停止処理部１１７ｄの動作が図４に示した利用停止操作処理部１７ｃ及び利用停止処理部１７ｄと異なり、遊技客交代判定部１１７ｅをさらに備える。その他の構成及び動作は図４に示した台間カード処理機１０と同様であるので同一の構成要素には同一の符号を付して説明を省略する。
【０１６５】
利用停止操作処理部１１７ｃは、遊技客からの求めを受けた遊技店員等によるカード利用停止操作を受け付けた場合に、カード管理装置１４０に対してカード利用停止要求を送信する。利用停止操作処理部１１７ｃがカード管理装置１４０に送信するカード利用停止要求には、自装置状態データ１６ａに示された自装置の装置ＩＤを含む。また、カード利用停止要求に日時を指定するデータを含めてもよい。
【０１６６】
カード利用停止要求の送信後、利用停止操作処理部１１７ｃは、利用停止の対象となるカードＩＤの候補のリストをカード管理装置１４０から受信し、表示操作部１３に表示する。そして、表示した候補から利用停止対象の選択操作を受け付け、カード管理装置１４０に対して停止対象のカードＩＤを通知する。
【０１６７】
その後、利用停止操作処理部１１７ｃは、カード利用停止要求の結果をカード管理装置１４０から受信し、表示操作部１３に表示制御する。カード管理装置１４０によってカードの利用が停止された場合には、利用停止の成功と、どの装置で使用中であるかが表示されることになる。また、使用中の装置が特定できなかった場合や、利用停止ができなかった場合には、その旨が表示される。
【０１６８】
利用停止処理部１１７ｄは、カード管理装置４０からカード利用停止指示を受信した場合に、玉貸、再プレイ、返却などを禁止することでカードの利用を停止し、カードの利用を停止した旨をカード管理装置４０に通知する。ただし、利用停止処理部１１７ｄは、遊技客交代判定部１１７ｅにより遊技客が交代したと判定された場合には、利用停止を行わず、遊技客の交代により利用停止を行わなかった旨をカード管理装置１４０に通知する。
【０１６９】
遊技客交代判定部１１７ｅは、遊技客の交代を判定する処理部である。遊技客の交代は、例えば遊技客の画像や遊技客の携帯端末などを用いて判定することができる。遊技客の画像を用いて交代を判定する場合には、台間カード処理機１１０にカメラを設け、カードの挿入時に遊技客を撮像して画像を保存し、カード利用停止指示を受信した場合に再び撮像を行って保存した画像と照合すればよい。または、カードの排出時に遊技客を撮像して画像を保存し、カード利用停止指示に遊技客の画像を付加する構成としてもよい。この場合には、カード利用停止指示を受信した台間カード処理機１０が撮像した画像とカード利用停止指示に付加された画像との照合により判定が行われる。もしくは、カードの排出時に撮像された画像と一致する人物がカード利用停止指示を受信した台間カード処理機１０以外を利用している場合に、遊技客が交代していると判定する。
【０１７０】
遊技客の携帯端末を用いて交代を判定する場合には、携帯端末を用いた再プレイ操作時に携帯端末の固有ＩＤを記憶し、携帯端末の固有ＩＤが不一致となった場合に遊技客が交代したと判定する。または、カードの排出時に携帯端末の固有ＩＤとカードＩＤと関連付けておき、カード利用停止指示に携帯端末の固有ＩＤを付加する構成としてもよい。この場合には、カード利用停止指示を受信した台間カード処理機１０が取得した携帯端末の固有ＩＤとカード利用停止指示に付加された携帯端末の固有ＩＤとの比較により判定が行われる。もしくは、カードの排出時に関連付けられた携帯端末の固有ＩＤがカード利用停止指示を受信した台間カード処理機１０以外で読み取られている場合に、遊技客が交代していると判定する。
【０１７１】
他の方法として、カードの挿入からカード利用停止指示の受信までの間で、プリペイド価値と持玉の双方がゼロ（又は「使い切り基準値」未満）の時間が所定時間以上となった場合に遊技客の交代が発生したと判定してもよい。また、カードの挿入からカード利用停止指示の受信までの間で、遊技機２０における遊技玉の打込みと賞出の双方が生じない時間が所定時間以上となった場合に遊技客の交代が発生したと判定してもよい。
【０１７２】
図１７は、本実施例２に係るカード管理装置１４０の構成についての説明図である。図１７に示したカード管理装置１４０は、制御部４６の利用停止対象特定部１４６ｅ及び利用停止指示部１４６ｆの動作が図６に示した利用停止対象特定部４６ｅ及び利用停止指示部４６ｆと異なる。その他の構成及び動作は図６に示したカード管理装置１４０と同様であるので同一の構成要素には同一の符号を付して説明を省略する。
【０１７３】
利用停止対象特定部１４６ｅは、台間カード処理機１１０からカード利用停止要求を受信した場合に、使用履歴データ４５ｄを参照し、カード利用停止要求に示された装置ＩＤに基づいて利用停止の対象となるカードＩＤの候補を抽出する。このとき、カード利用停止要求において日時の指定がなければ、カード利用停止要求に示された装置ＩＤを有する台間カード処理機１１０が直近に使用した所定数（例えば１０）のカードのカードＩＤを抽出する。また、カード利用停止要求において日時の指定があるならば、カード利用停止要求に示された装置ＩＤを有する台間カード処理機１１０が指定された日時の前後に使用していた所定数のカードＩＤを抽出する。
【０１７４】
利用停止対象特定部１４６ｅは、利用停止の対象となるカードＩＤの候補を抽出した後、抽出した候補をリストとして台間カード処理機１１０に送信する。その後、利用停止対象特定部１４６ｅは、台間カード処理機１１０から停止対象のカードＩＤの通知を受け、使用履歴データ４５ｄを参照し、通知されたカードＩＤのカードを使用している装置を使用中装置として特定する。
【０１７５】
利用停止指示部１４６ｆは、利用停止対象特定部１４６ｅにより使用中装置が特定された場合には、使用中装置に対してカード利用停止指示を送信する。そして、使用中装置からカードの利用を停止した旨の通知を受けた場合には、カード利用停止要求を送信した台間カード処理機１１０に利用停止の成功と、どの装置で使用中であるかを利用停止結果として通知する。使用中装置が遊技客の交代により利用停止を行わなかった場合には、その旨をカード利用停止要求の送信元である台間カード処理機１１０に通知する。
【０１７６】
また、利用停止指示部１４６ｆは、使用中の装置が特定されなかった場合には、カードＩＤを特定したがその所在が不明であるとの利用停止結果をカード利用停止要求の送信元である台間カード処理機１１０に通知する。
【０１７７】
なお、使用中の装置が特定されなかった場合には、使用履歴データ４５ｄに対する監視を行い、いずれかの装置で利用停止対象のカードＩＤが使用されたときに、使用した装置にカード利用停止指示を送信する。もしくは、カードを使用する可能性のある装置（台間カード処理機１１０、賞品管理装置６０、精算機８０）に対して利用停止対象のカードＩＤを通知し、カードの利用停止を予め指示してもよい。
【０１７８】
さらに、使用中の装置が特定されなかった場合において、カードの利用停止を求めた遊技客が他のカードを用いて遊技を行っているならば、遊技客がその時点で使用中のカードＩＤを通知先カードＩＤとして別途管理しておき、利用停止対象のカードＩＤが使用されたときに、通知先カードＩＤを使用中の装置に通知を行ってもよい。
【０１７９】
次に、実施例２における台間カード処理機１１０のカードの利用停止に係る処理手順について説明する。図１８は、実施例２における台間カード処理機１１０のカードの利用停止に係る処理手順を示すフローチャートである。まず、台間カード処理機１１０の利用停止操作処理部１１７ｃは、遊技店員等によるカード利用停止操作を受け付けたか否かを判定する（ステップＳ３０１）。
【０１８０】
遊技店員等によるカード利用停止操作を受け付けたならば（ステップＳ３０１；Ｙｅｓ）、利用停止操作処理部１１７ｃは、カード管理装置４０に対してカード利用停止要求を送信する（ステップＳ３０２）。カード利用停止要求の送信後、利用停止操作処理部１１７ｃは、利用停止の対象となるカードＩＤの候補のリストをカード管理装置１４０から受信し（ステップＳ３０３）、表示操作部１３に表示する（ステップＳ３０４）。そして、表示した候補から利用停止対象の選択操作を受け付け（ステップＳ３０５）、カード管理装置１４０に対して停止対象のカードＩＤを通知する（ステップＳ３０６）。
【０１８１】
その後、利用停止操作処理部１１７ｃは、カード利用停止要求の結果である利用停止結果をカード管理装置１４０から受信し（ステップＳ３０７）、表示操作部１３に表示する（ステップＳ３０８）。
【０１８２】
ステップＳ３０８の後、若しくは遊技店員等によるカード利用停止操作を受け付けていない場合（ステップＳ３０１；Ｎｏ）、利用停止処理部１１７ｄは、カード管理装置１４０からカード利用停止指示を受信したか否かを判定する（ステップＳ３０９）。
【０１８３】
カード管理装置１４０からカード利用停止指示を受信していなければ（ステップＳ３０９；Ｎｏ）、利用停止処理部１１７ｄは、そのまま処理を終了する。一方、カード管理装置１４０からカード利用停止指示を受信したならば（ステップＳ３０９；Ｙｅｓ）、遊技客交代判定部１１７ｅは、遊技客の交代が発生したか否かを判定する（ステップＳ３１０）。
【０１８４】
遊技客の交代が発生していなければ（ステップＳ３１０；Ｎｏ）、利用停止処理部１１７ｄは、玉貸、再プレイ、返却などを禁止することでカードの利用を停止し、カードの利用を停止した旨をカード管理装置４０に通知して（ステップＳ３１１）、処理を終了する。一方、遊技客の交代が発生しているならば（ステップＳ３１０；Ｙｅｓ）、利用停止処理部１１７ｄは、利用停止を行わず、遊技客の交代により利用停止を行わなかった旨をカード管理装置１４０に通知して（ステップＳ３１２）、処理を終了する。
【０１８５】
次に、実施例２におけるカード管理装置１４０のカードの利用停止に係る処理手順について説明する。図１９は、実施例２にけるカード管理装置１４０のカードの利用停止に係る処理手順を示すフローチャートである。まず、利用停止対象特定部１４６ｅは、台間カード処理機１１０からカード利用停止要求を受信すると（ステップＳ４０１）、使用履歴データ４５ｄを参照し、カード利用停止要求に示された装置ＩＤに基づいて利用停止の対象となるカードＩＤを抽出する（ステップＳ４０２）。
【０１８６】
利用停止対象特定部１４６ｅは、利用停止の対象となるカードＩＤの候補を抽出した後、抽出した候補をリストとして台間カード処理機１１０に送信する（ステップＳ４０３）。その後、利用停止対象特定部１４６ｅは、台間カード処理機１１０から停止対象のカードＩＤの通知を受け（ステップＳ４０４）、使用履歴データ４５ｄを参照し、通知されたカードＩＤのカードを使用している装置を使用中装置として特定する（ステップＳ４０５）。
【０１８７】
使用中装置が特定された場合には（ステップＳ４０６；Ｙｅｓ）、利用停止指示部１４６ｆは、使用中装置に対してカード利用停止指示を送信する（ステップＳ４０７）。そして、使用中装置からカードの利用を停止した旨、若しくは遊技客の交代により利用停止を行わなかった旨の通知を受け、カード利用停止要求を送信した台間カード処理機１１０に利用停止結果として送信し（ステップＳ４０８）、処理を終了する。
【０１８８】
一方、使用中装置が特定されない場合には（ステップＳ４０６；Ｎｏ）、利用停止指示部１４６ｆは、カードＩＤを特定したがその所在が不明であるとの利用停止結果をカード利用停止要求の送信元である台間カード処理機１１０に送信し（ステップＳ４０８）、処理を終了する。
【０１８９】
上述してきたように、本実施例２では、カード利用停止操作を受け付けた台間カード処理機１１０が自装置の装置ＩＤをカード管理装置１４０に送信し、カード管理装置１４０が装置ＩＤに基づいて利用停止の対象となるカードの候補を抽出し、候補から選択されたカードの使用を制限するよう構成したので、台間カード処理機１１０にカードの使用履歴を記憶させることなく、簡易な構成で記憶媒体であるカードの使用に係る制限を効率的に行うことができる。
【０１９０】
また、本実施例２では、台間カード処理機１１０が遊技客の交代の有無を判定し、遊技客が交代した場合にはカードの利用停止を回避するので、不正を行っていない遊技客の利用が停止される事態を防止できる。
【０１９１】
なお、上述の実施例２では、台間カード処理機１０又は台間カード処理機１１０がカードの利用停止操作を受け付ける場合を例に説明を行ったが、カードの利用停止操作は、遊技店員用の端末装置やカード管理装置など、任意の装置で受け付けることが可能である。
【０１９２】
また、上述の実施例１及び２では、玉貸、再プレイ、返却などを禁止することで対象のカードの利用を停止する場合を例に説明を行ったが、これらの操作の一部を禁止してもよい。また、警告メッセージの出力のみを行って各種操作については受け付けるよう構成してもよい。
【０１９３】
また、上述の実施例１及び２ではカードＩＤを対象として利用停止を行うことでカードの利用を停止する場合を例に説明を行ったが、これらに代えて、使用中の装置を対象として対象のカードを受け付けている装置の利用を停止する構成としてもよい。
【０１９４】
また、上述の実施例では、遊技媒体数を関連づける媒体であるカードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。
【０１９５】
また、上述の実施例では、遊技玉を遊技媒体として使用する場合を例に説明を行なったが、スロットマシン用のメダルを用いる場合にも適用可能である。
【０１９６】
また、本発明は、遊技機に封入された遊技玉を用いる封入式の遊技機に適用してもよい。封入式の遊技機では、遊技玉を遊技盤面に投出可能な数を遊技可能数として管理しており、玉貸や再プレイ時等の際には、遊技玉の現物を払出処理するのではなく、遊技可能数を加算することとなる。
【０１９７】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１９８】
以上のように、本発明に係る遊技管理システム及び遊技管理方法は、記憶媒体の使用に係る制限を効率的に行うことに適している。
【符号の説明】
【０１９９】
１０、１１０  台間カード処理機
１１  状態表示部
１２  紙幣搬送部
１２ａ  紙幣挿入口
１３  表示操作部
１４  リーダライタ
１４ａ  カード挿入口
１４ｂ  かざし部
１５、１２４  通信部
１６、４５  記憶部
１６ａ  自装置状態データ
１６ｂ  カードデータ
１７、４６  制御部
１７ａ  データ管理部
１７ｂ  計数処理部
１７ｃ、１１７ｃ  利用停止操作処理部
１７ｄ、１１７ｄ  利用停止処理部
１８ａ  ノズルユニット
１８ｂ  計数ユニット
２０  遊技機
３０  島コントローラ
４０、１４０  カード管理装置
４１  表示部
４２  入力部
４３  外部ネットワーク通信部
４４  店舗ネットワーク通信部
４５ａ  遊技種設定データ
４５ｂ  カード管理データ
４５ｃ  装置管理データ
４５ｄ  使用履歴データ
４６ａ  遊技種設定管理部
４６ｂ  カード管理部
４６ｃ  装置管理部
４６ｄ  使用履歴管理部
４６ｅ、１４６ｅ  利用停止対象特定部
４６ｆ、１４６ｆ  利用停止指示部
５０  会員管理装置
６０  賞品管理装置
８０  精算機
１１７ｅ  遊技客交代判定部
【図１】
2018202091.tif 000003
【図２】
2018202091.tif 000004
【図３】
2018202091.tif 000005
【図４】
2018202091.tif 000006
【図５】
2018202091.tif 000007
【図６】
2018202091.tif 000008
【図７】
2018202091.tif 000009
【図８】
2018202091.tif 000010
【図９】
2018202091.tif 000011
【図１０】
2018202091.tif 000012
【図１１】
2018202091.tif 000013
【図１２】
2018202091.tif 000014
【図１３】
2018202091.tif 000015
【図１４】
2018202091.tif 000016
【図１５】
2018202091.tif 000017
【図１６】
2018202091.tif 000018
【図１７】
2018202091.tif 000019
【図１８】
2018202091.tif 000020
【図１９】
2018202091.tif 000021